(57)【要約】      （修正有）【課題】飲酒運転抑止効果の高い車内アルコール呼気の有無を外部へ表示する表示装置を提供する。【解決手段】アルコールと二酸化炭素の検知器Ａ、Ｂによりアルコールと二酸化炭素を検知し、検出状況をアルコール表示灯Ｅ、二酸化炭素表示灯Ｆにより車外へ表示するようにした。【選択図】図１
2011057198.tif 000002
【特許請求の範囲】
【請求項１】
この検知器は、「アルコールセンサーとその回路を内蔵したアルコール検知器」と、「二酸化炭素センサーとアルコールセンサーを設置し、それぞれの回路を内蔵した、二酸化炭素とアルコールの検知器」の２つの検知器が併設されたもの。この検知器の検知状況を各々の回線を通じ接続された各々の表示灯を点灯または不点灯の機能で、車内アルコール呼気の有無を外部へ表示する表示装置。
【請求項２】
アルコールセンサーとその回路を内蔵したアルコール検知器に、換気孔を開口して小型モーターとファンを内蔵した、車内アルコール呼気の有無を外部へ表示する表示装置。
【請求項３】
二酸化炭素とアルコール検知器内の二酸化炭素センサーとその回路は、呼気中の一定の濃度に反応する機能を有した車内アルコール呼気の有無を外部へ表示する表示装置。
【請求項４】
アルコール検知器は車内空気を多量に換気検知するが個別判別の機能は弱く、二酸化炭素とアルコールの検知器は個別判別をするが、多量の検知機能は弱い。この両検知器が機能を補完することに加え、ライトが外部表示と各検知器の機能が正常に作動していることを証明することにより、３つの構成部の機能が相互に補完する、車内アルコール呼気を外部へ表示する表示装置。
【発明の詳細な説明】
【技術分野】
【０００１】  本発明は、車内アルコール呼気の有無を外部へ表示する表示装置に関する。
【背景技術】
【０００２】  従来の車内アルコール呼気の有無を外部へ表示する表示装置は、本来、車両用として作られたものはほとんど無く、検知器単体としてのアルコール測定器、二酸化炭素測定器としてのものが圧倒的であり、形状としては、アルコール測定器は、被検知者がスイッチを入れ呼気吹き込み口等から呼気を吹き込み、それを数値レベル表示をしたり、また表示によって色別のランプが点灯するものが一般的に市販普及している。
二酸化炭素検知器に関しては、一般的なものは少なく業務用等で使われるため、アルコール検知器に比べると大型で測定表示も数値式やグラフ式等である。【０００３】  従って、車両内部から外部へ向かって継続的に測定状態を表示することは難しく、さらに、交通安全協会等が指摘する、飲酒をした運転者が飲酒していない人間に呼気の測定依頼をする「なりすまし行為」には対応できず、また、複数人が乗った車両では呼気の集まった車両空気からアルコール成分が検知されても、検知数値からは誰のアルコール成分か特定できないという欠点があった。
【発明の開示】
【発明が解決しようとする課題】
【０００４】  本発明は以上のような従来の欠点に鑑み、なりすまし行為には車内空気の継続計測でアルコール成分の検知を行い、なりすまし行為を防ぎ、また検出されたアルコール成分の排出者を個別計測で特定するという相互の機能を併設することで解決し、さらに、両機能の正確な作動が外部表示用のライトの点灯、不点灯という表示で、飲酒によるアルコール呼気の有無を外部へ表示すると同時に、正常な作動を外部から容易に判別できるよう各機能を相互に補完する、車内アルコール呼気の有無を外部表示する表示装置を求めることを目的としている。【０００５】  本発明の前記ならびにそのほかの目的と新規な特徴は次の説明添付図面と照らし合わせて読むとより深く明らかになるであろう。
ただし、図面はもっぱら解説のためのものであって本発明の記述的範囲を限定するものではない。
【課題を解決するための手段】
【０００６】  上記の目的を達成するために本発明は［請求項１］のアルコール検知器Ｂと併設された二酸化炭素とアルコール検知器Ａ及び各回線接続した表示灯部Ｅ・Ｆとで車内アルコール呼気の有無を外部へ表示する表示装置を構成している。【０００７】  また図面には記入されていないが、［請求項２］においては、車内空気の効率のよい検知稼動のためにアルコール検知器図Ｂに内臓されたものである。【０００８】  同じく図面には記入されていないが、［請求項３］において、図面Ａの中に内蔵された二酸化炭素センサーとその回路は、自然大気と濃度の異なる呼気の二酸化炭素に反応する機能を有するものである。また、［請求項４］において各構成部の単独の作動では求める目的に至らず、これらが相互に補完し合うことでより高度な表示装置となる。
【発明の効果】
【０００９】  以上の説明から明らかなように、本発明においては次に列挙する効果が得られる。【００１０】（１）吹き込み口図Ｃから吹き込まれた運転者の呼気は、呼気判別用センサーで判別されアルコールが検知されなければアルコール表示灯には点灯せず、内蔵された二酸化炭素センサーの検知よりＦの二酸化炭素表示灯が点灯する。通常運転時は二酸化炭素表示灯の点灯のみが正常な飲酒のない運転状況である。【００１１】（２）運転者が飲酒をしていればＡの呼気判別用センサーがアルコールを検知しＥのアルコール表示灯が点灯する。つまり、運転者に飲酒があればＥのアルコール表示灯もＦの二酸化炭素表示灯も同時に点灯することにより運転者の違法行為が判別できる。【００１２】（３）運転者がなりすまし行為を行い、飲酒をしていない同乗者がＣの吹き込み行為を行い、Ｆの二酸化炭素表示灯を点灯させ（正常運転行為）、飲酒者が運転をしている場合は少し（吹き込み判別に比べ）時間がかかるが、継続測定のＢの車内空気用のアルコール検知器に検知され、Ｅのアルコール表示灯が点灯する。【００１３】（４）通常、運転時はＦの二酸化炭素表示灯だけが正常運転の証明であるから、２つの表示灯とも無点灯の場合は故意に検知作業をしなかったのか、単純にスイッチの入れ忘れのどちらかであるから、２つの表示灯がともに無点灯の場合は嫌疑車両として（２）の運転者と同様の嫌疑を受ける。【００１４】（５）同乗者に飲酒があり、走行中にＥのアルコール表示灯の点灯があっても、警察官等に職務を執行された際には、一度Ｄのスイッチを切り、再度スイッチを入れＣの吹き込み口から運転者の呼気を吹き込めば、飲酒のない場合はＡの呼気用判別で運転者の呼気のみを判別し、Ｆの二酸化炭素表示灯しか点灯せず運転者の嫌疑は晴れることになる。【００１５】（６）なりすまし行為の防止には、Ｂの車内空気センサーが継続測定で対応しこれを防ぎ、また嫌疑・摘発を受けた時は、作動スイッチＤは一つなのでこれのＯＮ／ＯＦＦの再検知により、Ａの呼気判別用センサーが運転者の飲酒の有無を判別する。無点灯にはＥのアルコール表示の点灯に準じた嫌疑がかけられるので、運転者は正常運転のＦの二酸化炭素表示灯のみを点灯して走る以外、常に外部からの摘発の可能性があり飲酒運転の抑止力となる。【００１６】（７）さらに、運転者の心理として、一目で自身が飲酒運転をしていることが判るとなれば、飲酒運転はしにくくなる。
【発明を実効するための最良の形態】
【００１７】  好適と考える本発明の実施の形態（どのように実行するか）を、図に基づいてその作用効果を示して簡単に説明する。
【００１８】  センサー本体部をダッシュボードに本体部底部の接着面を利用し、表示灯部をフロントガラス内側に吸盤を利用し固定、設置する。いづれも運転行為、運転視界の阻害にならないよう設置した。
上記センサー本体部は個別判別用センサーＡと、車内空気判別用センサーＢとで構成されている。
【００１９】  装置の電源は、車両本体から引いたものであるが、乾電池仕様のものでもよい。
【００２０】  まずスイッチＤをオンにする。この時点では二酸化炭素表示灯Ｆもアルコール表示灯Ｅも点灯しないが、個別判別用また車内空気判別用の各センサー類は作動開始となる。
【００２１】  次に個別判別用Ａのセンサー部に付いている呼気吹き込み口Ｃに運転者の呼気を吹き込む。
【００２２】  この時点で、二酸化炭素センサー検知状況により、二酸化炭素表示灯Ｆが点灯する。またアルコールセンサーは検知状況でアルコールを感知しなければ不点灯であり、検知すればアルコール表示灯Ｅが点灯（点滅）する。
【００２３】  また、正確な作動手順及び吹き込みを行わなければ表示灯はＥもＦも点灯（点滅）しないが、車内にアルコール成分が存在すれば車内空気判別用のアルコールセンサーの検知状況によりアルコール表示灯Ｅが点灯（点滅）する。
【００２４】  要するに、車内にアルコールの存在がなく正確な作動作業を行えば、二酸化炭素表示灯Ｆのみが点灯し、他の点灯また不点灯は何らかの異常表示となる。
【００２５】  さらに、運転開始時に飲酒した運転者が、飲酒をしていない他の人間に吹き込み行為をしてもらい、二酸化炭素表示灯Ｆの点灯表示をしても車内空気判別用Ｂのセンサー検知により、アルコール表示灯Ｅが点灯することになる。
【００２６】  また、同乗者が飲酒の場合、運転者が飲酒をしてなくとも車内空気判別用Ｂのセンサー感知でアルコール表示灯Ｅの点灯（点滅）を表示するが、その際は車内空気を入れ替え、一度本体ＤのスイッチをＯＦＦにし、改めてＯＮの各センサー作動時に二酸化炭素表示灯Ｆもアルコール表示灯Ｅも点灯しないことを確認し、運転者が吹き込み口Ｃに改めて呼気を吹き込むことによって呼気中のアルコールの有無を判別できる。
【産業上の利用可能性】
【００２７】  本発明の車内アルコール呼気の有無を外部へ表示する表示装置は、外部からの視認判別が容易であるため検問台数が飛躍的に向上し、また一台ごとの確認視認も停車を必要とせず効率の良い検問が可能になる。さらにカメラを使用する等により、検問場所や検問方法が画期的に変わり、飲酒者自身の自己抑止の観点からも多大な効果が期待でき、飲酒運転抑止に強力な力を発揮する。装置の設置に車種や新車・中古車を問わないので汎用性は高く、既存の車両に手を加えることなく接着により設置できる。
【図面の簡単な説明】
【００２８】
【図１】  装置の外観図
【符号の説明】
【００２９】Ａ：呼気判別用センサー部
Ｂ：車内空気用センサー部
Ｃ：吹き込み口
Ｄ：スイッチ
Ｅ：アルコール表示灯
Ｆ：二酸化炭素表示灯
Ｇ：吸盤
Ｈ：通風孔
Ｉ：電源取入口
【図１】
2011057198.tif 000003